(57)【要約】【課題】妊婦の腹部の形状及び大きさに拘わらず、常に良好な着用感を与えることが可能なマタニティ用下半身衣類を提供する。【解決手段】下半身の正面側を覆う前身頃部１２と、下半身の背面側を覆う後身頃本体３４と、後身頃本体３４の上端に取り付けられて着用者の腰部を背骨を中心に部分的に覆う背当部３５とを有する後身頃部１３と、前身頃部１２の上端で、且つ、背当部３５と一体に取り付けられて、着用者の腹部を覆う伸縮性を有するリブ部１４とを備え、リブ部１４は、上端１４ａが着用者の鳩尾から所定の長さだけ下方に位置し、且つ、リブ部１４の右端１４ｄ又は左端１４ｅと背当部３５との背中側接ぎ目部分１９ａ，１９ｂがいずれも着用者の背面側に位置する。【選択図】図１
2018083992.tif 000002
【特許請求の範囲】
【請求項１】
下半身の正面側を覆う前身頃部と、
前記下半身の背面側を覆う後身頃本体と、当該後身頃本体の上端に取り付けられて着用者の腰部を背骨を中心に部分的に覆う背当部とを有する後身頃部と、
前記前身頃部の上端で、且つ、前記背当部と一体に取り付けられて、前記着用者の腹部を覆う伸縮性を有するリブ部と
を備え、
前記リブ部は、上端が前記着用者の鳩尾から所定の長さだけ下方に位置し、且つ、当該リブ部の右端又は左端と前記背当部との背中側接ぎ目部分がいずれも前記着用者の背面側に位置する
ことを特徴とするマタニティ用下半身衣類。
【請求項２】
前記リブ部の下端であって、前記前身頃部の上端との正面側接ぎ目部分が前記着用者の鼠蹊部の近傍に位置する
ことを特徴とする請求項１記載のマタニティ用下半身衣類。
【請求項３】
前記前身頃部と前記後身頃部との側面側接ぎ目部分が下方から上方に向かって前記背面側に傾斜する
ことを特徴とする請求項１又は２記載のマタニティ用下半身衣類。
【請求項４】
前記リブ部の右端と左端との間には、当該リブ部より伸縮率が小さく、前記着用者の腰部の近傍に位置するバンド部が設けられている
ことを特徴とする請求項１乃至３のいずれか１項記載のマタニティ用下半身衣類。
【発明の詳細な説明】
【技術分野】
【０００１】
本発明は、マタニティ用下半身衣類に関し、特に、妊娠初期から妊娠後期にかけて変化する妊婦の腹部の形状に対応して良好な着用感を与えるマタニティ用下半身衣類に関する。
【背景技術】
【０００２】
従来、マタニティ用下半身衣類として、マタニティパンツ本体の前身頃部に、着用時に妊婦の腹部を全体的に覆うに十分な大きさの伸縮性のリブニット部を設け、当該リブニット部が伸縮することにより、妊婦の腹部の大きさが大きくなっても覆うことが可能なマタニティ用下半身衣類が知られている（例えば、特許文献１参照）。
【先行技術文献】
【特許文献】
【０００３】
【特許文献１】特開２００７−１３１９７３号公報
【発明の概要】
【発明が解決しようとする課題】
【０００４】
しかしながら、上述した従来のマタニティ用下半身衣類は、両脇腹に相当する位置である前身頃部と後身頃部とを縫い合わせた部分（以下、接ぎ目部分ともいう。）において、前身頃部側のリブニット部からゴム部へと切り替わり、当該ゴム部で衣類をウエスト位置で固定している。
【０００５】
このため、従来のマタニティ用下半身衣類を着用する際、腹部が左右方向へ膨出した妊婦では、接ぎ目部分が両脇腹から腹部へ移動し、リブニット部からゴム部への切替部分が腹部に当って不快感を生じさせるおそれがあった。
【０００６】
本発明は、上記の課題に鑑みてなされたものであり、その目的は、妊娠初期から妊娠後期にかけて変化する妊婦の腹部の形状及び大きさに拘わらず、常に良好な着用感を与えることが可能なマタニティ用下半身衣類を提供することである。
【課題を解決するための手段】
【０００７】
上記目的を達成するために、本発明のマタニティ用下半身衣類は、下半身の正面側を覆う前身頃部と、前記下半身の背面側を覆う後身頃本体と、当該後身頃本体の上端に取り付けられて着用者の腰部を背骨を中心に部分的に覆う背当部とを有する後身頃部と、前記前身頃部の上端で、且つ、前記背当部と一体に取り付けられて、前記着用者の腹部を覆う伸縮性を有するリブ部とを備え、前記リブ部は、上端が前記着用者の鳩尾から所定の長さだけ下方に位置し、且つ、当該リブ部の右端又は左端と前記背当部との背中側接ぎ目部分がいずれも前記着用者の背面側に位置することを特徴とする。
【０００８】
本発明に係るマタニティ用下半身衣類において、前記リブ部の下端であって、前記前身頃部の上端との正面側接ぎ目部分が前記着用した物の鼠蹊部の近傍に位置することを特徴とする。
【０００９】
本発明に係るマタニティ用下半身衣類において、前記前身頃部と前記後身頃部との側面側接ぎ目部分が下方から上方に向かって前記背面側に傾斜することを特徴とする。
【００１０】
本発明に係るマタニティ用下半身衣類において、前記リブ部の右端と左端との間には、当該リブ部より伸縮率が小さく、前記着用者の腰部の近傍に位置するバンド部が設けられていることを特徴とする。
【発明の効果】
【００１１】
本発明によれば、妊娠初期から妊娠後期にかけて変化する妊婦の腹部の形状及び大きさに拘わらず、常に良好な着用感を与えることができる。
【図面の簡単な説明】
【００１２】
【図１】本発明の実施の形態に係るマタニティ用下半身衣類の全体構成を示す斜視図である。
【図２】本発明の実施の形態に係るマタニティ用下半身衣類を示す正面図である。
【図３】本発明の実施の形態に係るマタニティ用下半身衣類を示す背面図である。
【図４】本発明の実施の形態に係るマタニティ用下半身衣類を示す右側面図である。
【図５】本発明の実施の形態に係るマタニティ用下半身衣類を示す左側面図である。
【発明を実施するための形態】
【００１３】
以下、本発明の実施の形態について、図面を参照しながら具体的に説明する。
【００１４】
［マタニティ用下半身衣類の全体構成］
はじめに、図１から図３を参照して、本発明の実施の形態に係るマタニティ用下半身衣類１の全体構成について説明する。図１は、本発明の実施の形態に係るマタニティ用下半身衣類１の全体構成を示す斜視図である。図２は、本発明の実施の形態に係るマタニティ用下半身衣類１を示す正面図である。図３は、本発明の実施の形態に係るマタニティ用下半身衣類１を示す背面図である。
【００１５】
図１に示すように、マタニティ用下半身衣類１は、妊婦が妊娠初期から妊娠後期にかけて着用することが可能な布製のズボン型の下半身衣類である。このマタニティ用下半身衣類１は、妊婦（以下、着用者ともいう。）の下半身の正面側を覆う前身頃部１２と、着用者の下半身の背面側を覆う後身頃部１３と、着用者の腹部周りを覆うリブ部１４とを備えている。
【００１６】
また、マタニティ用下半身衣類１は、後述するように、前身頃部１２と後身頃部１３、前身頃部１２又は後身頃部１３とリブ部１４とを縫い合わせた接ぎ目部分１９（１９ａ〜１９ｆ）を備えている。
【００１７】
図２に示すように、前身頃部１２は、着用者の前面右側を覆う右側前身頃部２２と、着用者の前面左側を覆う左側前身頃部２３とを備えている。
【００１８】
右側前身頃部２２の上端２２ａ及び左側前身頃部２３の上端２３ａには、リブ部１４が縫い合わされて取り付けられている。また、右側前身頃部２２の下端２２ｂは着用者の右足首の近傍に位置する右前身頃裾部２２１、左側前身頃部２３の下端２３ｂは着用者の左足首の近傍に位置する左前身頃裾部２３１を有している。
【００１９】
図３に示すように、後身頃部１３は、着用者の背面側を覆う後身頃本体３４と、着用者の腰部を、背骨を中心に部分的に覆う背当部３５とを備えている。
【００２０】
後身頃本体３４は、着用者の背面右側を覆う右側後身頃部３２と、着用者の背面左側を覆う左側後身頃部３３とを備えている。
【００２１】
右側後身頃部３２の下端３２ｂは着用者の右足首の近傍に位置する右後身頃裾部３２１、左側後身頃部３３の下端３３ｂは着用者の左足首の近傍に位置する左後身頃裾部３３１を有している。
【００２２】
また、後身頃部１３は、後身頃本体３４と背当部３５とを互いに縫い合わせることにより構成されており、具体的には、背当部３５は、右側後身頃部３２の上端３２ａ及び左側後身頃部３３の上端３３ａに縫い合わせられて取り付けられている。
【００２３】
背当部３５は、上端３５ａの幅方向の長さＡが下端３５ｂの幅方向の長さＢより短く構成されている。具体的には、背当部３５の上端３５ａの幅方向の長さＡは、約１６ｃｍ以上２２ｃｍ以下、背当部３５の下端３５ｂの幅方向の長さＢは、約３３ｃｍ以上４１ｃｍ以下である。このように、背当部３５の上端３５ａの長さが下端３５ｂの長さより短いため、着用者の臀部の近傍に位置する背当部３５を右側後身頃部３２の上端３２ａ及び左側後身頃部３３の上端３３ａより小さくすることが可能になり、視覚的に作用して小尻に見える効果を与えることができる。
【００２４】
背当部３５は、着用者の腰部の近傍に位置するバンド部３５１を備えている。バンド部３５１は、リブ部１４の右端１４ｄと左端１４ｅとの間で、且つ、背当部３５の上端３５ａ側に設けられている。このバンド部３５１は、内部にリブ部１４より伸縮性が小さい帯状のゴム板が挿通されており、着用者の腰部の近傍に位置することにより、腹部の重みを支えようとする着用者の腰部を支えて負担を軽減する。
【００２５】
バンド部３５１の延び方向の長さＣは、着用者の背骨を中心に腰部を部分的に覆うことが可能な長さとして、約１６ｃｍ以上２２ｃｍ以下であることが好ましい。また、バンド部１５の延び方向に交差する幅方向の長さＤは、約３ｃｍ以上５ｃｍ以下であることが好ましい。
【００２６】
また、バンド部３１５の延び方向の長さＣと、背当部３５の上端３５ａの幅方向の長さＡとは、概略同等の長さであることがより好ましい。このように、バンド部３１５の延び方向の長さＣと、背当部３５の上端３５ａの幅方向の長さＡとを概略同等の長さにすることにより、背当部３５とバンド部３１５とを一体的に見せることができる。
【００２７】
リブ部１４は、後述するように、右側前身頃部２２の上端２２ａ及び左側前身頃部２３の上端２３ａにおいて背当部３５と一体に取り付けられている（図２参照）。また、リブ部１４は、例えば、ポリエステル１００％の伸縮性を有する生地で生成されており、着用者の腹部周りの大きさに追従して伸縮することにより腹部を覆う。なお、リブ部１４は、ポリエステルに綿やポリウレタン等が配合された伸縮性を有する生地で生成されていてもよい。
【００２８】
［マタニティ用下半身衣類のリブ部の構成］
次に、図２及び図３を参照して、上述したように構成されたマタニティ用下半身衣類１のリブ部１４について説明する。図２に示すように、リブ部１４は、ウエスト周りのサイズを調整可能なウエスト調整部４２を備えている。
【００２９】
リブ部１４は、上端１４ａが着用者の鳩尾に当接して胃もたれや胃のむかつき等の症状の悪化を防止するため、着用者の鳩尾より所定の長さだけ下方に位置するように形成されている。
【００３０】
具体的には、リブ部１４の上端１４ａは、着用者の鳩尾から例えば約２ｃｍ以上８ｃｍ以下だけ下方に位置していることが好ましく、鳩尾から約５ｃｍだけ下方に位置していることがより好ましい。このため、リブ部１４の上端１４ａが着用者の鳩尾から約５ｃｍ下方に位置するように、前身頃部１２における股上の長さＥを約３８ｃｍ〜４４ｃｍとすることが好ましい。
【００３１】
図３に示すように、リブ部１４の右端１４ｄは、背当部３５の右端３５ｄに縫い合わされて取り付けられており、リブ部１４の左端１４ｅは、背当部３５の左端３５ｅに縫い合わされて取り付けられている。このため、リブ部１４の右端１４ｄ及び左端１４ｅは着用者の背面側に位置する。
【００３２】
図２に示すように、ウエスト調整部４２は、リブ部１４の上端１４ａ側を裏側に折り返して縫い合わせることにより袋状に形成されている。この袋状の内部には、等間隔をおいた複数箇所でボタンホール４２２が形成された帯状ゴム４２３が挿通されている。
【００３３】
また、ウエスト調整部４２の左右側面側には、袋状の内部が外方に開口した開口部４２４が設けられており、この開口部４２４から袋状の内部に挿通された帯状ゴム４２３の一部を引き出すことにより、ウエスト周りのサイズを調整することが可能に形成されている。
【００３４】
なお、開口部４２４の近傍にはボタン４２５が設けられており、開口部４２４から引き出された帯状ゴム４２３に複数形成されたボタンホール４２２のうちの任意のボタンホール４２２にボタン４２５を挿入して掛け止めることにより、調整したウエスト周りのサイズを固定することが可能である。
【００３５】
具体的には、妊娠初期でウエスト周りがそれ程大きくない場合は、帯状ゴム４２３の引き出し量を多くしてボタンホール４２２にボタン４２５を通すことにより、ウエスト周りのサイズを小さく調整する。また、ウエスト周りが大きくなるにつれて引き出し量を少なくしてボタンホール４２２にボタン４２５を通すことにより、ウエスト周りのサイズを大きく調整して固定することができる。
【００３６】
図３に示すように、ウエスト調整部４２の右端４２ｄは、バンド部３５１の右端３５１ｄに縫い合わされて取り付けられており、ウエスト調整部４２の左端４２ｅはバンド部３５１の左端３５１ｅに縫い合わされて取り付けられている。
【００３７】
また、バンド部３５１の内部に挿通されたゴム板の両端と、ウエスト調整部４２の内部に挿通された帯状ゴム４２３の両端とは、ウエスト調整部４２の右端４２ｄ及び左端４２ｅとバンド部３５１の右端３５１ｄ及び左端３５１ｅとが縫い合わせされることにより環状に取り付けられている。このため、着用者の腹部の大きさに追従してウエスト調整部４２の内部に挿通された帯状ゴム４２３が伸びるとともに、バンド部３５１の内部に挿通されたゴム板も伸びて着用者の腰部でマタニティ用下半身衣類１を固定する。
【００３８】
そして、図２に示すように、リブ部１４は、着用者の腹部を包み込むように形成されており、後述するように、前身頃部１２と後身頃部１３、前身頃部１２又は後身頃部１３とリブ部１４とを縫い合わせた接ぎ目部分１９（１９ａ〜１９ｆ）が着用者の腹部に位置しないように形成されている。
【００３９】
［マタニティ用下半身衣類の接ぎ目部分］
次に、図４及び図５を参照して、上述したように構成されたマタニティ用下半身衣類１の接ぎ目部分１９（１９ａ〜１９ｆ）について説明する。図４は、本発明の実施の形態に係るマタニティ用下半身衣類１を示す右側面図である。図５は、本発明の実施の形態に係るマタニティ用下半身衣類１を示す左側面図である。
【００４０】
上述したように構成されたマタニティ用下半身衣類１は、前身頃部１２と後身頃部１３、前身頃部１２又は後身頃部１３とリブ部１４とを縫い合わせた接ぎ目部分１９（１９ａ〜１９ｆ）を備えている。
【００４１】
図４及び図５に示すように、リブ部１４の右端１４ｄ又は左端１４ｅは、背当部３５の右端３５ｄ又は左端３５ｅに縫い合わせて取り付けられており、当該縫い合わせられた部分である背中側接ぎ目部分１９ａ，１９ｂがいずれも着用者の背面側に位置する。
【００４２】
具体的には、リブ部１４の右端１４ｄと背当部３５の右端３５ｄとの背中側接ぎ目部分１９ａと、リブ部１４の左端１４ｅと背当部３５の左端３５ｅとの背中側接ぎ目部分１９ｂとは、いずれも着用者の腰部の近傍に位置する。
【００４３】
上記のように、背中側接ぎ目部分１９ａ，１９ｂがいずれも着用者の腰部の近傍に位置するため、腹部周りにおいて、リブ部１４と背当部３５との切替部分が着用者の腹部に当たることがない。
【００４４】
また、リブ部１４の下端１４ｂは、右側前身頃部２２の上端２２ａ及び左側前身頃部２３の上端２３ａに縫い合わせて取り付けられており、当該縫い合わせられた部分である正面側接ぎ目部分１９ｃが着用者の鼠蹊部の近傍に位置する（図２参照）。
【００４５】
具体的には、正面側接ぎ目部分１９ｃは、着用者の股関節の近傍から恥骨の近傍に向かって湾曲して鼠蹊部の近傍に位置する。すなわち、腹部が膨出した妊婦の腹部の下方に正面側接ぎ目部分１９ｃが位置するように、正面側接ぎ目部分１９ｃと水平な線ＨＬとの間の角度である傾斜角度αは約１０度以上４０度以下であることが好ましい。
【００４６】
また、正面側接ぎ目部分１９ｃが着用者の鼠蹊部の近傍に位置するように、右側前身頃部２２、左側前身頃部２３、右側後身頃部３２及び左側後身頃部３３が縫い合わされて交差する部分からリブ部１４までの長さＦは、従来のマタニティ用下半身衣類より短く、約１０ｃｍ以上１６ｃｍ以下であることが好ましい（図２参照）。
【００４７】
上記のように、正面側接ぎ目部分１９ｃが着用者の鼠蹊部の近傍に位置するため、前身頃部１２とリブ部１４との切替部分が着用者の腹部に当ることがない。すなわち、正面側接ぎ目部分１９ｃが着用者の腹部の下方に位置する。
【００４８】
さらに、前身頃部１２と後身頃部１３とは、互いに縫い合わせて取り付けられており、当該縫い合わせた部分である側面側接ぎ目部分１９ｄ，１９ｅが下方から上方に向かって背面側に傾斜している。
【００４９】
具体的には、側面側接ぎ目部分１９ｄは、右前身頃裾部２２１側から右側後身頃部３２の上端３２ａに向かって背面側に傾斜している。また、側面側接ぎ目部分１９ｅは、左前身頃裾部２３１側から左側後身頃部３３の上端３３ａに向かって背面側に傾斜している。
【００５０】
上記のように、側面側接ぎ目部分１９ｄ，１９ｅが下方から上方に向かって背面側に傾斜しているため、着用者の臀部部分の後身頃部１３を小さくすることができ、視覚的に作用して小尻に見える効果を与えることができる。
【００５１】
なお、側面側接ぎ目部分１９ｄ，１９ｅと、垂直な線ＶＬとの間の角度である傾斜角度βは、臀部部分の後身頃部１３を小さくするため、それぞれ約５度以上３５度以下であることが好ましい。
【００５２】
また、側面側接ぎ目部分１９ｄの延長線上に背中側接ぎ目部分１９ａが位置し、側面側接ぎ目部分１９ｅの延長線上に背中側接ぎ目部分１９ｂが位置する。
【００５３】
このため、後身頃部１３が後身頃本体３４と背当部３５とで構成されているのにも拘わらず、後身頃本体３４と背当部３５とを一体的に見せることができるとともに、着用者の臀部部分の後身頃部１３及び背当部３５を小さくすることができるため、視覚的に作用して小尻に見える効果を与えることができる。
【００５４】
そして、背当部３５の下端３５ｂは、右側後身頃部３２の上端３２ａ及び左側後身頃部３３の上端３３ａに縫い合わせて取り付けられており、当該縫い合わせられた部分である背面側接ぎ目部分１９ｆは、正面側接ぎ目部分１９ｃの延長線上に位置する。
【００５５】
具体的には、着用者の股関節の近傍から恥骨の近傍に向かって湾曲した正面側接ぎ目部分１９ｃの一側及び他側が背面側接ぎ目部分１９ｆの一側及び他側に繋がっている。
【００５６】
上記のように、正面側接ぎ目部分１９ｃの延長線上に背面側接ぎ目部分１９ｆが位置するため、正面側接ぎ目部分１９ｃと背面側接ぎ目部分１９ｆとが一体的に繋がることにより、視覚的に作用して小尻効果や着やせ効果を与えることができる。
【００５７】
上述したように、マタニティ用下半身衣類１は、背中側接ぎ目部分１９ａ，１９ｂ及び正面側接ぎ目部分１９ｃがいずれも着用者の腹部に位置しないように形成されている。すなわち、着用者の腹部を覆う部分であるリブ部１４には、生地を重ねて縫い合わせることで硬い部分となった接ぎ目部分１９が設けられていないため、腹部の大きさに拘わらず不快感を生じさせることがなく、良好な着用感を与えることができる。
【００５８】
＜作用効果＞
以上のようなマタニティ用下半身衣類１は、下半身の正面側を覆う前身頃部１２と、下半身の背面側を覆う後身頃本体３４と、後身頃本体３４の上端（右側後身頃部３２の上端３２ａ及び左側後身頃部３３の上端３３ａ）に取り付けられて着用者の腰部を背骨を中心に部分的に覆う背当部３５とを有する後身頃部１３と、前身頃部１２の上端（右側前身頃部２２の上端２２ａ及び左側前身頃部２３の上端２３ａ）で、且つ、背当部３５と一体に取り付けられて、着用者の腹部を覆う伸縮性を有するリブ部１４とを備え、リブ部１４は、上端１４ａが着用者の鳩尾から所定の長さだけ下方に位置し、且つ、リブ部１４の右端１４ｄ又は左端１４ｅと背当部３５との背中側接ぎ目部分１９ａ，１９ｂがいずれも着用者の背面側に位置する。
【００５９】
上述したマタニティ用下半身衣類１によれば、リブ部１４は、上端１４ａが着用者の鳩尾から所定の長さだけ下方に位置する。所定の長さとは、例えば、約３ｃｍ以上８ｃｍ以下であり、特に、鳩尾から５ｃｍ以下だけ下方に位置していることがより好ましい。このように、リブ部１４の上端１４ａが着用者の鳩尾より所定の長さだけ下方に位置するため、妊婦の胃もたれや胃のむかつき等の症状の悪化を防止することができる。すなわち、リブ部１４の上端１４ａが妊婦の鳩尾に当接すると、妊婦の胃もたれや胃のむかつき等の症状を悪化させる場合がある。しかし、上端１４ａが鳩尾から所定の長さだけ下方に位置するため、リブ部１４の上端１４ａが妊婦の鳩尾に当接せず、さらに、所定の長さだけ下方に位置することにより妊婦が屈む姿勢になった場合であってもリブ部１４の上端１４ａが鳩尾に当接しないため、上記の症状を悪化させることを防止することができる。
【００６０】
また、マタニティ用下半身衣類１のリブ部１４の右端１４ｄ又は左端１４ｅと背当部３５との背中側接ぎ目部分１９ａ，１９ｂがいずれも着用者の背面側に位置する。従来のマタニティ用下半身衣類では、両脇腹に相当する位置である前身頃と後身頃との接ぎ目部分において、リブ部から後身頃部へと切り替わる。このため、腹部が左右方向へ大きく膨出した妊婦では、接ぎ目部分が両脇腹から腹部へ移動し、リブニット部からゴム部への切替部分が腹部に当って不快感を生じさせるおそれがあった。特に、接ぎ目部分は、生地を重ねて縫い合わせているため、硬く、腹部に当たると不快感を生じさせる。しかしながら、上述したマタニティ用下半身衣類１では、両脇腹に相当する位置にもリブ部１４が位置するため、腹部が左右方向へ大きく膨出した場合でも接ぎ目部分が腹部に当たることがない。従って、妊娠初期から妊娠後期にかけて変化する妊婦の腹部の形状及び大きさに拘わらず良好な着用感を与えることができる。
【００６１】
さらに、マタニティ用下半身衣類１のリブ部１４の下端１４ｂであって、前身頃部１２の上端（右側前身頃部２２の上端２２ａ及び左側前身頃部２３の上端２３ａ）との正面側接ぎ目部分１９ｃが着用者の鼠蹊部の近傍に位置する。このため、妊娠初期から妊娠後期にかけて腹部が膨出した場合であっても正面側接ぎ目部分１９ｃが腹部に当ることがない。また、腹部が膨出した妊婦の腹部の下方に正面側接ぎ目部分１９ｃが位置することにより、正面側接ぎ目部分１９ｃにお腹を乗せる感覚になる。さらに、起立状態のみならず着席状態であっても、正面側接ぎ目部分１９ｃが腹部の下に位置するため、正面側接ぎ目部分１９ｃが腹部にあたらず、良好な着用感を与えることができる。
【００６２】
また、マタニティ用下半身衣類１の前身頃部１２と後身頃部１３との側面側接ぎ目部分１９ｄ，１９ｅが下方から上方に向かって背面側に傾斜する。このため，着用者の臀部に位置する後身頃部１３が小さくなり、視覚的に作用して小尻に見える効果を与えることができる。
【００６３】
さらに、マタニティ用下半身衣類１のリブ部１４の右端１４ｄと左端１４ｅとの間には、リブ部１４より伸縮率が小さく、着用者の腰部の近傍に位置するバンド部３５１が設けられている。このように、伸縮率が小さいバンド部３５１が腰部の近傍に位置することにより、妊婦の腹部の重みを支えようとする腰部を支えて負担を軽減することができる。
【００６４】
［他の実施の形態］
なお、上述した実施の形態においては、マタニティ用下半身衣類１は、ズボン型である場合について説明したが、スカート型であってもよい。
【００６５】
また、上述した実施の形態においては、バンド部３５１の延び方向の長さＣと、背当部３５の上端３５ａの幅方向の長さＡとは、概略同等の長さである場合について説明した。しかしながら、背当部３５の上端３５ａの幅方向の長さＡと背当部３５の上端３５ａの幅方向の長さＡとは、異なる長さであってもよい。
【００６６】
さらに、上述した実施の形態においては、背当部３５の上端３５ａの幅方向の長さＡは、背当部３５の下端３５ｂの幅方向の長さＢより短い場合について説明した。しかしながら、背当部３５の上端３５ａの幅方向の長さＡと背当部３５の下端３５ｂの幅方向の長さＢの長さは概略同一の長さでもよく、背当部３５の上端３５ａの幅方向の長さＡが下端３５ｂの幅方向の長さＢより長くてもよい。
【００６７】
また、上述した実施の形態においては、側面側接ぎ目部分１９ｄの延長線上に背中側接ぎ目部分１９ａが位置し、側面側接ぎ目部分１９ｅの延長線上に背中側接ぎ目部分１９ｂが位置する場合について説明した。しかしながら、側面側接ぎ目部分１９ｄ，１９ｅの延長線の内側に背中側接ぎ目部分１９ａ，１９ｂが位置してもよい。また、側面側接ぎ目部分１９ｄ，１９ｅの延長線の外側に背中側接ぎ目部分１９ａ，１９ｂが位置してもよい。
【００６８】
さらに、上述した実施の形態においては、正面側接ぎ目部分１９ｃの延長線上に背面側接ぎ目部分１９ｆが位置する場合について説明した。しかしながら、背面側接ぎ目部分１９ｆは、正面側接ぎ目部分１９ｃの延長線より上側に位置してもよい。また、正面側接ぎ目部分１９ｃの延長線より下側に位置してもよい。
【００６９】
また、上述した実施の形態においては、ウエスト調整部４２の左右側面側で、開口部４２４から帯状ゴム４２３の引き出し、ボタンホール４２２にボタン４２５を通すことによりウエスト周りのサイズを調整可能である場合について説明した。しかしながら、開口部４２４やボタン４２５は左右側面側のいずれか一側のみに設けられていてもよい。また、開口部４２４やボタン４２５が設けられていなくてもよい。
【００７０】
以上、本発明の好適な実施の形態について説明したが、本発明は上記の実施の形態に係るマタニティ用下半身衣類１に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更され得る。
【符号の説明】
【００７１】
１  マタニティ用下半身衣類
１２  前身頃部
１３  後身頃部
１４  リブ部
１９ａ  背中側接ぎ目部分
１９ｂ  背中側接ぎ目部分
１９ｃ  正面側接ぎ目部分
１９ｄ  側面側接ぎ目部分
１９ｅ  側面側接ぎ目部分
１９ｆ  背面側接ぎ目部分
２２  右側前身頃部
２３  左側前身頃部
３２  右側後身頃部
３３  左側後身頃部
３４  後身頃本体
３５  背当部
４２  ウエスト調整部
２２１  右前身頃裾部
２３１  左前身頃裾部
３２１  右後身頃裾部
３３１  左後身頃裾部
３５１  バンド部
４２２  ボタンホール
４２３  帯状ゴム
４２４  開口部
４２５  ボタン
【図１】
2018083992.tif 000003
【図２】
2018083992.tif 000004
【図３】
2018083992.tif 000005
【図４】
2018083992.tif 000006
【図５】
2018083992.tif 000007
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
下半身の正面側を覆う前身頃部と、
前記下半身の背面側を覆う後身頃本体と、当該後身頃本体の上端に取り付けられて着用者の腰部を背骨を中心に部分的に覆う背当部とを有する後身頃部と、
前記前身頃部の上端で、且つ、前記背当部と一体に取り付けられて、前記着用者の腹部を覆う伸縮性を有するリブ部と
を備え、
前記リブ部は、上端が前記着用者の鳩尾から所定の長さだけ下方に位置し、
前記リブ部の右端又は左端と前記背当部との背中側接ぎ目部分がいずれも前記着用者の背面側に位置し、前記リブ部の下端であって前記前身頃部の上端との正面側接ぎ目部分が前記着用者の鼠蹊部の近傍に位置し、
前記正面側接ぎ目部分の延長線上には、前記後身頃本体と前記背当部との背面側接ぎ目部分が一体的に繋がり、当該正面側接ぎ目部分及び当該背面側接ぎ目部分が水平方向に対して前記着用者の鼠蹊部から腰部側に向かって傾斜し、
前記前身頃部と前記後身頃部との側面側接ぎ目部分が下方から上方に向かって前記背面側に傾斜し、当該側面側接ぎ目部分の延長線上に前記背中側接ぎ目部分が一体的に繋がっている
ことを特徴とするマタニティ用下半身衣類。
【請求項２】
下半身の正面側を覆う前身頃部と、
前記下半身の背面側を覆う後身頃本体と、当該後身頃本体の上端に取り付けられて着用者の腰部を背骨を中心に部分的に覆う背当部とを有する後身頃部と、
前記前身頃部の上端で、且つ、前記背当部と一体に取り付けられて、前記着用者の腹部を覆う伸縮性を有するリブ部と
を備え、
前記リブ部は、上端が前記着用者の鳩尾から所定の長さだけ下方に位置し、且つ、当該リブ部の右端又は左端と前記背当部との背中側接ぎ目部分がいずれも前記着用者の背面側に位置し、
前記リブ部の右端又は左端との間には、当該リブ部より伸縮率が小さく、前記着用者の腰部の近傍に位置するバンド部が設けられている
ことを特徴とするマタニティ用下半身衣類。
【請求項３】
前記リブ部の下端であって、前記前身頃部の上端との正面側接ぎ目部分が前記着用者の鼠蹊部の近傍に位置する
ことを特徴とする請求項２記載のマタニティ用下半身衣類。
【手続補正２】
【補正対象書類名】明細書
【補正対象項目名】０００７
【補正方法】変更
【補正の内容】
【０００７】
上記目的を達成するために、本発明のマタニティ用下半身衣類は、下半身の正面側を覆う前身頃部と、前記下半身の背面側を覆う後身頃本体と、当該後身頃本体の上端に取り付けられて着用者の腰部を背骨を中心に部分的に覆う背当部とを有する後身頃部と、前記前身頃部の上端で、且つ、前記背当部と一体に取り付けられて、前記着用者の腹部を覆う伸縮性を有するリブ部とを備え、前記リブ部は、上端が前記着用者の鳩尾から所定の長さだけ下方に位置し、前記リブ部の右端又は左端と前記背当部との背中側接ぎ目部分がいずれも前記着用者の背面側に位置し、前記リブ部の下端であって前記前身頃部の上端との正面側接ぎ目部分が前記着用者の鼠蹊部の近傍に位置し、前記正面側接ぎ目部分の延長線上には、前記後身頃本体と前記背当部との背面側接ぎ目部分が一体的に繋がり、当該正面側接ぎ目部分及び当該背面側接ぎ目部分が水平方向に対して前記着用者の鼠蹊部から腰部側に向かって傾斜し、前記前身頃部と前記後身頃部との側面側接ぎ目部分が下方から上方に向かって前記背面側に傾斜し、当該側面側接ぎ目部分の延長線上に前記背中側接ぎ目部分が一体的に繋がっていることを特徴とする。
【手続補正３】
【補正対象書類名】明細書
【補正対象項目名】０００８
【補正方法】変更
【補正の内容】
【０００８】
本発明のマタニティ用下半身衣類は、下半身の正面側を覆う前身頃部と、前記下半身の背面側を覆う後身頃本体と、当該後身頃本体の上端に取り付けられて着用者の腰部を背骨を中心に部分的に覆う背当部とを有する後身頃部と、前記前身頃部の上端で、且つ、前記背当部と一体に取り付けられて、前記着用者の腹部を覆う伸縮性を有するリブ部とを備え、前記リブ部は、上端が前記着用者の鳩尾から所定の長さだけ下方に位置し、且つ、当該リブ部の右端又は左端と前記背当部との背中側接ぎ目部分がいずれも前記着用者の背面側に位置し、前記リブ部の右端又は左端との間には、当該リブ部より伸縮率が小さく、前記着用者の腰部の近傍に位置するバンド部が設けられていることを特徴とする。
【手続補正４】
【補正対象書類名】明細書
【補正対象項目名】０００９
【補正方法】変更
【補正の内容】
【０００９】
本発明に係るマタニティ用下半身衣類において、前記リブ部の下端であって、前記前身頃部の上端との正面側接ぎ目部分が前記着用者の鼠蹊部の近傍に位置することを特徴とする。
【手続補正５】
【補正対象書類名】明細書
【補正対象項目名】００１０
【補正方法】削除
【補正の内容】
【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
下半身の正面側を覆う前身頃部と、
前記下半身の背面側を覆う後身頃本体と、当該後身頃本体の上端に取り付けられて着用者の腰部を背骨を中心に部分的に覆う背当部とを有する後身頃部と、
前記前身頃部の上端で、且つ、前記背当部と一体に取り付けられて、前記着用者の腹部を覆う伸縮性を有するリブ部と
を備え、
前記リブ部は、上端が前記着用者の鳩尾から所定の長さだけ下方に位置し、
前記リブ部の右端又は左端と前記背当部との背中側接ぎ目部分がいずれも前記着用者の背面側に位置し、前記リブ部の下端であって前記前身頃部の上端との正面側接ぎ目部分が前記着用者の鼠蹊部の近傍に位置し、
前記正面側接ぎ目部分の延長線上には、前記後身頃本体と前記背当部との背面側接ぎ目部分が一体的に繋がり、当該正面側接ぎ目部分及び当該背面側接ぎ目部分が水平方向に対して前記着用者の鼠蹊部から腰部側に向かって傾斜し、
前記前身頃部と前記後身頃部との側面側接ぎ目部分が下方から上方に向かって前記背面側に傾斜し、当該側面側接ぎ目部分の延長線上に前記背中側接ぎ目部分が一体的に繋がっている
ことを特徴とするマタニティ用下半身衣類。
【請求項２】
前記リブ部の右端と左端との間で、且つ、前記背当部の上端側には、当該リブ部より伸縮率が小さく、前記着用者の腰部の近傍に位置するバンド部が設けられている
ことを特徴とする請求項１記載のマタニティ用下半身衣類。